(57)【特許請求の範囲】
【請求項１】
略筒状の本体部内に形成された空気通路に空気流を生じさせる送風部と、空気流を加熱する加熱部と、を備える加熱送風装置において、
前記本体部の吸込側の端部に、第１および第２のフィルタを着脱可能に取り付けるためのフィルタ取付枠を着脱可能に設け、
前記フィルタ取付枠の枠内面が、上流側に向けて拡開する空気通路を形成するとともに、前記フィルタ取付枠の枠内面が、ベルマウス形状であり、
前記フィルタ取付枠の枠内面の下流側端部と、前記本体部の筒内面の上流側端部とを略連接させ、かつ
前記フィルタ取付枠の枠内面の下流側先端面と前記本体部の上流側先端面とを前記空気通路用の第１のフィルタの周縁部に突き当てることで、当該周縁部を前記本体部の軸方向両側から挟みこむとともに、前記第１のフィルタの周縁部と前記フィルタ取付枠の枠内面の下流側先端面とを相互に略密着させ、
前記フィルタ取付枠の枠内面の上流側端部に、前記第２のフィルタの径方向外側に向けて立ち上がる外周部を連設するとともに、
前記外周部に、前記第２のフィルタの周縁部から前記本体部の軸方向に沿って延びる筒状壁部を嵌挿させる周回溝を設けたことを特徴とする加熱送風装置。
【発明の詳細な説明】
【技術分野】
【０００１】
本発明は、加熱送風装置に関する。
【背景技術】
【０００２】
従来のヘアドライヤー等の加熱送風装置として、筒状の本体部内に送風部および加熱部を内蔵し、当該本体部の吸込側の端部に着脱可能なフィルタを装着したものが知られている。フィルタを着脱可能としたことで、フィルタの交換や清掃を容易に行うことができる（特許文献１）。
【特許文献１】特開平６−４６９１９号公報
【発明の開示】
【発明が解決しようとする課題】
【０００３】
フィルタによる塵芥除去性能を向上させるには、フィルタのメッシュサイズを細かくすれば良いが、そうすると風量が低下してしまう。フィルタ面を広くすれば風量を増大させることができるが、むやみに広くすると装置全体として大型化してしまう上、美観も損なわれてしまう。そして、もちろん、上記特許文献１のようにフィルタを着脱可能なタイプの加熱送風装置でも、風量を増大させることが望まれている。
【０００４】
そこで、本発明は、フィルタを着脱可能な構成で効率良く風量を増大させることが可能な加熱送風装置を得ることを目的とする。
【課題を解決するための手段】
【０００５】
請求項１の発明にあっては、略筒状の本体部内に形成された空気通路に空気流を生じさせる送風部と、空気流を加熱する加熱部と、を備える加熱送風装置において、上記本体部の吸込側の端部に、第１および第２のフィルタを着脱可能に取り付けるためのフィルタ取付枠を着脱可能に設け、上記フィルタ取付枠の枠内面が、上流側に向けて拡開する空気通路を形成するとともに、上記フィルタ取付枠の枠内面が、ベルマウス形状であり、上記フィルタ取付枠の枠内面の下流側端部と、上記本体部の筒内面の上流側端部とを略連接させ、かつ上記フィルタ取付枠の枠内面の下流側先端面と上記本体部の上流側先端面とを上記空気通路用の第１のフィルタの周縁部に突き当てることで、当該周縁部を上記本体部の軸方向両側から挟みこむとともに、上記第１のフィルタの周縁部と上記フィルタ取付枠の枠内面の下流側先端面とを相互に略密着させ、上記フィルタ取付枠の枠内面の上流側端部に、上記第２のフィルタの径方向外側に向けて立ち上がる外周部を連設するとともに、上記外周部に、上記第２のフィルタの周縁部から上記本体部の軸方向に沿って延びる筒状壁部を嵌挿させる周回溝を設けたことを特徴とする。
【発明の効果】
【０００９】
請求項１の発明によれば、空気通路としてのフィルタ取付枠の枠内面を上流側に向けて拡開させたため、下流側に向けて絞り込まれる当該枠内面に沿って流下する空気の流量、すなわち風量を増大させることができる。すなわち、風量が増大する構成を、フィルタ取付枠を利用して比較的簡素な構成として具現化することができる。
また、枠内面をベルマウス形状としたため、枠内面に沿って空気が流下する際の通流抵抗を減らして、効率良く風量を増大させることができる。
また、枠内面の下流側端部と筒内面の上流側端部とを略連接させたため、これらの連接部分における通流抵抗を減らして、効率良く風量を増大させることができる。
また、フィルタとフィルタ取付枠との当接部からの空気の漏れを抑制し、本体部の筒内への空気の導入効率を高めて、風量を増大させることができる。
【発明を実施するための最良の形態】
【００１３】
以下、本発明の実施形態について図面を参照しながら詳細に説明する。図１〜図５は、本発明の一実施形態にかかる加熱送風装置を示している。このうち、図１は、本実施形態にかかる加熱送風装置の斜視図、また、図２は、加熱送風装置の側面図である。
【００１４】
この加熱送風装置１は、ヘアドライヤーとして構成されており、筒状に形成される本体部２と、本体部２の途中から当該本体部２の長手方向と交叉する方向に突出するグリップ部３と、を備え、全体として略Ｔ字状の外観を呈している。
【００１５】
本体部２の長手方向一端には、吸入口５が形成される一方、他端には吹出口６が形成され、吸入口５で吸い込まれた空気が本体部２の内部で適宜に加熱されて吹出口６から吹き出される。
【００１６】
また、本体部２には、グリップ部３の反対側に、吹出口６と同方向に開放される第二の開口部７が形成されており、この開口部７から、静電霧化部２０（図３参照）で生成された霧を含む空気が排出されるようになっている。
【００１７】
本体部２およびグリップ部３の外郭は、それぞれほぼ一定の肉厚で略アーチ状の断面を有する左右勝手違いの二つのケーシング（分割体）４Ｌ，４Ｒを、それらの端縁同士を突き合わせて一体化させ、さらに、本体部２の吹出口６側に筒状ケーシング４Ｆを取り付けることで構成されている。よって、本体部２およびグリップ部３のそれぞれが閉断面構造となって、各内部に構成部品が収容されている。なお、ケーシング４Ｌ，４Ｒおよび筒状ケーシング４Ｆは、例えば、合成樹脂材料を所定形状に成形して構成されており、適宜別部材のカバー等で被覆してもよい。
【００１８】
グリップ部３には、本体部２内の各部（加熱部や、送風部、静電霧化部等）の動作を切り換えるスイッチ部８，９，１０が設けられている。各スイッチ部８，９，１０の操作子８０ｂ，９ｂ，１０ｂは、ケーシング４Ｌ，４Ｒの相互に突き合わせられる端縁に形成された切欠同士（４ａと４ａ），（４ｂと４ｂ），（４ｃと４ｃ）によって形成される各開口部から、グリップ部３（ケーシング４Ｌ，４Ｒ）の外に露出している。
【００１９】
また、グリップ部３の先端部には開口部４ｄが形成されており、この開口部４ｄの縁に電源コード１１の端部が係止されている。電源を供給する配線は、この電源コード１１内からグリップ部３内を経由して本体部２内に配索されている。なお、図２に示すように、グリップ部３には、スイッチ部８の反対側に、滑り止めを兼ねるカバー２１が取り付けられている。
【００２０】
図３は、加熱送風装置の内部構成を示す側方断面図、図４は、本体部の一部の分解斜視図、図５は、図２のV−V断面図である。
【００２１】
図３に示すように、本体部２の筒内には、保持筒１３に取り付けられたモータ１４とこのモータ１４に回転駆動されるファン１５とを有する送風部が設けられるとともに、当該送風部の後段には電熱線等を含む加熱部１９が設けられている。すなわち、ファン１５の回転によって吸入口５から吸い込まれた空気が加熱部１９で加熱されて吹出口６から吹き出されるようになっている。
【００２２】
吸入口５の近傍には、着脱可能なフィルタ１７，１８が設けられており、これらフィルタ１７，１８によって塵芥等が本体部２の筒内に進入するのが抑制されるとともに、捕捉された塵芥等を容易に除去できるようになっている。これらフィルタ１７，１８は、フィルタ取付枠１６を介してケーシング４Ｌ，４Ｒ（本体部２）に取り付けられるようになっている。
【００２３】
静電霧化部２０は、加熱部１９と並行して設けられており、加熱部１９に導入される前の空気が一部分流されて静電霧化部２０に導入され、当該静電霧化部２０で生成された微粒化された霧をのせて開口部７から排出されるようになっている。
【００２４】
グリップ部３の筒内Ｓｂには、スイッチ部８，９，１０のスイッチ本体部８０ａ，９ａ，１０ａが配置されており、これらスイッチ本体部８０ａ，９ａ，１０ａを避けるようにして、配線１２が配索されている。
【００２５】
各スイッチ部８，９，１０の操作子８０ｂ，９ｂ，１０ｂは、これらスイッチ本体部８０ａ，９ａ，１０ａに可動支持されている。操作子８０ｂ，９ｂ，１０ｂは、スイッチ本体部８０ａ，９ａ，１０ａにスライド可能に支持されていてもよいし、突没可能に支持されていてもよい。そして、各操作子８０ｂ，９ｂ，１０ｂを操作することで、本体部２内の各部（加熱部や、送風部、静電霧化部等）の動作（例えば、ＯＮ／ＯＦＦ、風量、加熱の有無、加熱量、霧の有無、霧の量など）を切り換えることができる。
【００２６】
ところで、本実施形態では、図４および図５に示すように、本体部２内部の保持筒１３の筒内面１３ｃが空気通路を形成している。
【００２７】
フィルタ１８は、保持筒１３の上流側の端縁部１３ａに被せるようにして取り付けられている。フィルタ１８は、例えば金属部材からなるメッシュとして構成されており、略ドーム状に膨出形成されたフィルタ面１８ａと、このフィルタ面１８ａの周縁部１８ｃから保持筒１３の軸方向に沿って伸びる筒状壁部１８ｂとを備えており、この筒状壁部１８ｂが、保持筒１３の端縁部１３ａに外嵌されている。また、保持筒１３の端縁部１３ａの外周側には、当該端縁部１３ａの筒状の外周面と一定の間隔をあけて、ケーシング４Ｌ，４Ｒの筒状壁部４ｅが存在している。よって、フィルタ１８の筒状壁部１８ｂは、保持筒１３の端縁部１３ａとケーシング４Ｌ，４Ｒの筒状壁部４ｅとの間に狭装された状態となっている。
【００２８】
フィルタ１８の上流側には、リング状のフィルタ取付枠１６が取り付けられる。フィルタ取付枠１６には、少なくとも二箇所に爪部１６ｆが設けられており、この爪部１６ｆをケーシング４Ｌ，４Ｒに係止することで、当該フィルタ取付枠１６を当該ケーシング４Ｌ，４Ｒに取り付けるようになっている。本実施形態では、爪部１６ｆを、ケーシング４Ｌ，４Ｒの端面同士の突き合わせ部分に対応させて配置し、ケーシング４Ｌ，４Ｒ同士が離間するのを抑制している。
【００２９】
フィルタ取付枠１６は、本体部２に装着した状態で上流側に向けて拡開するベルマウス形状の枠内面１６ａを有しており、本実施形態では、この枠内面１６ａを、上流側の空気通路として利用している。
【００３０】
枠内面１６ａの曲率半径は各部で一定とする必要は無く、例えば上下左右で曲率半径を異ならせてもよい。このとき、曲率半径が大きいほど風量を増大することができる。よって、本実施形態のように、本体部２の外郭（ケーシング４Ｌ，４Ｒ）が扁平な略楕円筒状で、保持筒１３が略円筒状である場合には、長径方向の曲率半径を短径方向の曲率半径より大きくして、風量を効率良く増大することができる。
【００３１】
ここで、枠内面１６ａのフィルタ１８側の端面１６ｅは、当該フィルタ１８のフィルタ面１８ａの周縁部１８ｃと略密着してある。さらに、この周縁部１８ｃは、保持筒１３の端縁部１３ａのフィルタ取付枠１６側の端面１３ｂとも略密着してある。すなわち、フィルタ１８のフィルタ面１８ａの周縁部１８ｃは、フィルタ取付枠１６の端面１６ｅと保持筒１３の端面１３ｂとの間に挟持された状態となっており、空気が、これらの接続部分から空気通路外に漏れるのが抑制されている。
【００３２】
さらに、本体部２の一部をなす保持筒１３とフィルタ取付枠１６との接続部分において、フィルタ取付枠１６の枠内面１６ａの下流側端部と、保持筒１３の筒内面１３ｃの上流側端部とを連接させ、この部分を空気が流下する際の通流抵抗を減らしてある。
【００３３】
そして、枠内面１６ａは上流側にむけて徐々に拡大されて、外周部１６ｂの表面と滑らかに連接されている。外周部１６ｂは、枠内面１６ａの上流側端部を底部とする略Ｕ字状の断面を有しており、その外表面を外側から密着して覆うように、フィルタ１７が取り付けられている。また、外周部１６ｂの外周端縁には、環状の凸条部１６ｃが形成されており、ケーシング４Ｌ，４Ｒの端縁に形成される環状の凸条部４ｆと径方向に係合されている。
【００３４】
フィルタ１７は、例えば金属部材からなるメッシュとして構成されており、略ドーム状のフィルタ面１７ａと、フィルタ面１７ａの周縁部から本体部２の軸方向に沿って伸びる筒状壁部１７ｂとを備えている。フィルタ面１７ａの周縁部は、外周部１６ｂの表面と密着されており、筒状壁部１７ｂは、外周部１６ｂに形成された周回溝１６ｄ内に嵌挿されている。
【００３５】
また、図４に示すように、内側（下流側）のフィルタ１８とフィルタ取付枠１６との間には、保持リング２２を設け、ケーシング４Ｌ，４Ｒの双方に固定して、これらが拡開するのを抑制している。この保持リング２２は、フィルタ１８の抜け止めとして利用してもよい。なお、この保持リング２２には、フィルタ取付枠１６の爪部１６ｆに対応する位置に切欠部２２ａを形成して、保持リング２２と爪部１６ｆとが干渉するのを回避している。
【００３６】
上記構成では、爪部１６ｆの根元側を外から内に押圧して当該爪部１６ｆとケーシング４Ｌ，４Ｒとの係合を解除してフィルタ取付枠１６を取り外すことができる。さらに、保持リング２２を取り外すことで、内側のフィルタ１８を取り外すことができる。また、外側のフィルタ１７は、その筒状壁部１７ｂをフィルタ取付枠１６の周回溝１６ｄから引き抜くことで、取り外すことができる。このように、本実施形態では、内外二つのフィルタ１７，１８を容易に取り外すことができる。また、装着は取り外しと逆の手順で行うことができる。
【００３７】
以上の本実施形態では、本体部２の吸込側の端部に、フィルタ１７，１８を着脱可能に取り付けるためのフィルタ取付枠１６を着脱可能に設け、このフィルタ取付枠１６の枠内面１６ａが、上流側に向けて拡開する空気通路を形成するようにした。このため、下流側に向けて絞り込まれる当該枠内面１６ａに沿って流下する空気の流量、すなわち風量を増大させることができる。すなわち、本実施形態によれば、風量が増大する構成を、フィルタ取付枠１６を利用して、比較的簡素な構成として具現化することができる。
【００３８】
また、本実施形態では、フィルタ取付枠１６の枠内面１６ａをベルマウス形状とした。このため、枠内面１６ａに沿って空気が流下する際の通流抵抗を減らして、効率良く風量を増大させることができる。
【００３９】
また、本実施形態では、枠内面１６ａの下流側端部と筒内面１３ｃの上流側端部とを略連接させた。このため、これらの連接部分における通流抵抗を減らして、効率良く風量を増大させることができる。
【００４０】
また、本実施形態では、フィルタ取付枠１６の下流側端部と保持筒１３の上流側端部との間にフィルタ１８の周縁部１８ｃを挟装するとともに、フィルタ１８の周縁部１８ｃとフィルタ取付枠１６のフィルタ１８側の端面１６ｅとを相互に略密着させた。このため、フィルタ１８とフィルタ取付枠１６との当接部からの空気の漏れを抑制し、保持筒１３の筒内への空気の導入効率を高めて、風量を増大させることができる。
【００４１】
以上、本発明の好適な実施形態について説明したが、本発明は上記実施形態には限定されず、種々の変形が可能である。例えば、本体部の内部構造や、フィルタ取付枠、フィルタ、これらの係止構造等は、上記実施形態には限定されない。
【図面の簡単な説明】
【００４２】
【図１】本発明の一実施形態にかかる加熱送風装置の斜視図である。
【図２】本発明の一実施形態にかかる加熱送風装置の側面図である。
【図３】本発明の一実施形態にかかる加熱送風装置の内部構成を示す側方断面図である。
【図４】本発明の一実施形態にかかる加熱送風装置の本体部の一部の分解斜視図である。
【図５】図２のV−V断面図である。
【符号の説明】
【００４３】
１  加熱送風装置
２  本体部
１３  保持筒（本体部２の一部）
１３ｃ  筒内面
１４  モータ（送風部）
１５  ファン（送風部）
１６  フィルタ取付枠
１６ａ  枠内面
１６ｅ  端面
１８  フィルタ
１８ｃ  周縁部
１９  加熱部
【図１】
0004752823.tif 000002
【図２】
0004752823.tif 000003
【図３】
0004752823.tif 000004
【図４】
0004752823.tif 000005
【図５】
0004752823.tif 000006